【事件の表示】
　特願２００２−１２４４８３「通信端末、共通設定情報管理部及び通信制御方法」拒絶査定不服審判事件〔平成１５年１１月　７日出願公開、特開２００３−３１９０９２〕について、次のとおり審決する。
【結　論】
　本件審判の請求は、成り立たない。
【理　由】
１．手続の経緯・本願発明
　本願は、平成１４年４月２５日の出願であって、平成１９年１１月２２日付けで拒絶査定がなされ、これに対し、平成１９年１２月２７日に拒絶査定に対する審判請求がなされたものである。
　本願の請求項１に係る発明（以下、「本願発明」という。）は、平成２０年１月２３日付けの手続補正により補正された請求項１に記載された以下のとおりのものである。
　「ネットワークとの間で情報の送受信を行う通信端末であって、
　呼を終端する及びユーザ操作を受け付けるとともに、所定の情報サービスを提供する複数のサービス提供部と、
　前記複数のサービス提供部に共通に設定されたサービス提供に関する設定情報を管理し、当該設定情報又はユーザ操作に基づいて、前記複数のサービス提供部の動作を制御する管理制御部と、
　を備え、
　前記管理制御手段は、
　ネットワークからの着信通知に含まれる着信情報と着信時刻情報の両方又は一方、及び前記共通の設定情報に基づいて、着信呼に対して設定情報を有効にすべきか否かを判断し、当該判断結果に基づいて前記複数のサービス提供部の動作を制御する
　ことを特徴とする通信端末。」
　
２．引用例
　原査定の拒絶の理由に引用された特開平７−１９３６４８号公報（以下、「引用例」という。）には、図面とともに以下の記載がある。
　
イ．「【００４０】
【実施例】以下、本実施例を図面を参照して説明する。
【００４１】まず、図１３を参照して本実施例における通信システムの全体構成を説明する。図１３は、本実施例によるターミナルアダプタを通信システムに接続した例を示している。
【００４２】図１３に示すように、本実施例によるターミナルアダプタ１は、ＤＳＵ(Digital Service Unit)１２０を介してＩＳＤＮ網１０に接続されている。ターミナルアダプタ１には、電話２１〜２３やＧ３ＦＡＸ２９などの複数のアナログ端末が接続される。ターミナルアダプタ１が接続される宅内配線は、バス状であるため、本実施例によるターミナルアダプタ１以外にも、図１３に示すように、ディジタル電話１１０や、Ｇ４ファクシミリ１１１が接続できる。各々のアナログ端末は、ターミナルアダプタ１、ＤＳＵ１２０およびＩＳＤＮ網１０を介して、ＩＳＤＮ網１０に接続された、他のディジタル端末のディジタル電話１１３やＧ４ファクシミリ１１６と通信が可能であると共に、ＩＳＤＮ網１０と電話網１１７との相互接続により、電話網１１７に接続されたアナログ端末１１４とも、音声帯域内の通信が可能である。また、ターミナルアダプタ１を介して内線通話をすることができる。
【００４３】つぎに、図１および図２を参照して本実施例におけるターミナルアダプタ１の構成を説明する。
【００４４】図１に、本実施例によるターミナルアダプタをＩＳＤＮ回線および電話に接続した場合の接続図を示し、図２に、本実施例によるターミナルアダプタの機能ブロック図を示す。図２において、本実施例によるターミナルアダプタ１は、ＩＳＤＮ回線１０の制御を行うＩＳＤＮ回線制御部１２、アナログ端末に接続されるアナログ端末制御部３１〜３８、アナログの音声信号とディジタルのＰＣＭ信号との変換を行うアナログ／ディジタル，ディジタル／アナログ変換部１３およびターミナルアダプタの処理を制御する全体制御部１１とを備える。また、図１に示すようにＩＳＤＮ回線制御部１２は、ＩＳＤＮ回線１０と接続され、アナログ端末制御部３１〜３８は、アナログ端末の電話機２１〜２８に各々接続されている。アナログ端末の電話機２１〜２８は、ＰＢ信号またはＤＰ信号用いるものがある。
【００４５】ＩＳＤＮ回線制御部１２は、着信時に、図１９に示すような、呼設定情報要素を抽出し、プロトコル識別子・呼番号・メッセージ種別・伝達能力・チャネル識別子・低位レイヤ整合・高位レイヤ整合性等の情報要素を確認し、アナログ通信であるか否かを判断し、アナログ通信であれば接続処理を行なう。
【００４６】図１９に、ＩＳＤＮから着信した「呼設定」メッセージの一例を示すように、あらかじめ定められている領域に、各種の情報要素が格納されている。ＩＳＤＮ回線制御部１２では、格納されている情報要素を抽出し、あらかじめ定められた、情報要素の識別子が格納されているか否かを判定することにより、ターミナルアダプタ１に接続されるアナログ端末への着信であるか否かを判定できる。
【００４７】全体制御部１１は、全てのアナログ端末制御部３１〜３８に接続され、通信中のアナログ端末制御部の識別番号を保持することができ、ＩＳＤＮ回線制御部１２から着呼があった旨の通知を受けると、保持している通信中のアナログ端末制御部以外のアナログ端末制御部に対して呼出しを行なう。また、全体制御部１１は、いずれかのアナログ端末制御部から応答要求を受けると応答受付を伝えると共に、ＩＳＤＮ回線制御部１２に応答要求を伝え、応答要求があったアナログ端末制御部以外のアナログ端末制御部に対し、呼出し停止を通知する。さらに、ＩＳＤＮ回線制御部１２から接続が完了した旨の通知を受けるとアナログ端末制御部に対して接続完了を通知して通信を開始させる。
【００４８】アナログ端末制御部３１〜３８の各々は、全体制御部１１から呼出しの指示があると、接続されているアナログ端末を呼出し、アナログ端末から応答があると、応答要求を全体制御部１１に送出する。
【００４９】まず、上記構成において、外部の電話機から発信されＩＳＤＮ回線１０を介して、図２に示すアナログ端末の電話機のいずれかへ着信する場合の動作について説明する。
【００５０】始めに、アナログ通信を受けた場合の接続シーケンスを図１５に示す。図１５には、本実施例によるターミナルアダプタ１が、サブアドレスなしの着信を受けた場合の接続方法のシーケンスを示し、図２に示す各々の機能ブロックにおける制御信号のやり取りを示している。
【００５１】図１５において、ＩＳＤＮ回線１０からアナログ通信を受けた場合、ＩＳＤＮ回線制御部１２は、前述した呼設定情報要素を着信し、伝達能力・低位レイヤ整合・高位レイヤ整合性等の情報要素を確認し、アナログ通信であれば全体制御部１１に着信を通知する。全体制御部１１は、既に通信中であるアナログ端末制御部を除き、すべてのアナログ端末制御部３１〜３８に対し呼出しを行なう旨の指示を通知する。着信通知を受けたアナログ端末制御部３１〜３８は、１６Ｈｚの呼出信号を用いて、接続されている電話機２１〜２８を呼び出す。これによって、接続されている電話機のうち、既に通信中以外のすべての電話機のベルが鳴る。
【００５２】接続された電話機のうち、例えば、電話機２３がオフフックにより応答した場合、これに対応するアナログ端末制御部３３が応答要求を全体制御部１１に通知する。最初の応答要求を受けた全体制御部１１は、ＩＳＤＮ回線制御部１２に応答要求を伝え、アナログ端末制御部３３に応答受付を伝えると共に、他のアナログ端末制御部３１、３２、３４〜３８に対し呼出し停止を通知する。応答要求を受けたＩＳＤＮ回線制御部１２は、ＩＳＤＮ回線１０に対し、応答メッセージを通知し、通信を開始する。」
　
ロ．「【００７８】さらに、図６に示すように、内部に留守番電話制御部１４を設けるようにしてもよい。図６は、留守番電話機能を有するターミナルアダプタの機能ブロック図を示している。
【００７９】図６において、留守番電話制御部１４は、不在時の応答メッセージを録音する機能と、不在であることを設定する機能と、不在に設定されたときに応答メッセージを送出する機能とを有する。
【００８０】利用者が不在時の応答メッセージを録音し、不在であることを留守番電話制御部１４に設定した場合に、ＩＳＤＮ回線１０から着信した場合、ＩＳＤＮ回線制御部１２から全体制御部１１に着信が通知される。全体制御部１１は、留守番電話制御部１４に不在が設定されているか否かを問いあわせ、不在に設定されている場合には、留守番電話制御部１４に応答メッセージの送出を通知し、録音された応答メッセージを送出する。これにより、ターミナルアダプタに接続されたアナログ端末に対する、すべての通信に対して、不在時のメッセージを通知することができる。
【００８１】加えて、留守番電話制御部１４に伝言を録音する機能を有することで、外線からの伝言を録音することを可能とする。これによりターミナルアダプタに接続されたアナログ端末に、留守番電話機能がない場合でも、すべてのアナログ端末に対する、伝言のメッセージを録音することができる。
【００８２】留守番電話制御部１４の構成は、図２０に示すような構成と、図２１に示すような構成とが考えられる。図２０においては、本実施例によるターミナルアダプタ本体に、留守状態の設定をする留守状態設定部５１と、応答メッセージを録音する際に、メッセージを受け付ける応答メッセージ録音用マイクロフォン５２と、メッセージを再生し、再生したメッセージを出力するメッセージ再生用スピーカ５３と、応答メッセージを記憶する応答メッセージ記憶部５４と、伝言メッセージを録音するメッセージ録音部５５と、全体の制御を行なう留守録制御部５０とを備える。また、図２１においては、各アナログ端末制御部に対応して、応答メッセージを記憶する応答メッセージ記憶部６１〜６８と、相手先の伝言メッセージを録音するメッセージ録音部７１〜７８と、全体の制御を行なう留守録制御部５０とを備える。
【００８３】図２０に示す構成の場合、本ターミナルアダプタに接続された、すべてのアナログ端末が留守状態の場合に、留守に設定され、すべてのアナログ端末へのメッセージを、一括して録音する。この場合、構成や処理は簡単になる。マイクロフォンやスピーカーが必要となる。」
　
ハ．「【００８５】つぎに、ＩＳＤＮ回線１０からの着信を、電話とＧ３ファクシミリ信号に切り分ける方法について図８を参照して説明する。図８は、電話／Ｇ３ファクシミリ切替機能を有するターミナルアダプタの機能ブロック図を示している。この場合、全体制御部１１に備える内線番号テーブルに、図７に示すような電話であるかＧ３ファクシミリであるかを示す識別情報４４を追加する。図７は、内線接続機能および電話／Ｇ３ファクシミリ切替機能を有するターミナルアダプタに備える、アナログ端末に対応する内線番号および電話であるかファクシミリであるかを登録するテーブルを示している。
【００８６】例えば、図８に示すように、アナログ端末制御部３１〜３７に電話機２１〜２７が接続され、アナログ端末制御部３８にＧ３ファクシミリ２９が接続されている場合、これに対応する内線番号テーブルの識別情報４４は、アナログ端末制御部３８に対応する端末番号８の部分が「Ｇ３ＦＡＸ」となり、残りはすべて「電話」となる。
【００８７】全体制御部１１は、Ｇ３ＦＡＸによる通信であるか電話による通信であるかは、図１９に示す高位レイヤ整合性情報要素に示されているので、この高位レイヤ識別子情報要素を検出することにより判定することができる。、ＩＳＤＮ回線１０から着信を受けた場合、ＩＳＤＮ回線制御部１２で呼設定メッセージの高位レイヤ識別子情報要素を確認し、高位レイヤ整合性情報要素が「電話」の場合は、図７に示す内線番号テーブルの識別情報４４から「電話」に対応するアナログ端末識別子３１〜３７を抽出し、これらに着信の起動を駆けることにより、電話機２１〜２７のベルが鳴る。
【００８８】また、高位レイヤ整合性情報要素が「Ｇ３ファクシミリ」の場合は、図７に示す内線番号テーブルの識別情報４４から「Ｇ３ＦＡＸ」に対応するアナログ端末識別子３８を抽出し、これらに着信の起動を駆けることにより、Ｇ３ファクシミリ２９が着信する。これにより、高位レイヤ整合性情報要素が正しく設定されている場合は、電話とＧ３ファクシミリを切り分けることが可能となる。」
　
ニ．「【００９２】さらに、これらの電話とＧ３ファクシミリの切り分け機能と、留守番電話機能を併せ持つようにしてもよい。この場合のターミナルアダプタの構成を、図１０に示す。図１０は、電話／Ｇ３ファクシミリ切替機能および留守番電話機能を有するターミナルアダプタの機能ブロック図を示している。この場合、不在設定時に、電話の場合だけ、留守番電話機能を用いて、伝言を録音することができる。」
　
　引用例の【００４２】及び図１３の記載を参照すると、ターミナルアダプタは、ＩＳＤＮ網に接続されている。そして、ターミナルアダプタには、電話やＧ３ＦＡＸなどの複数のアナログ端末が接続される。ここで、ターミナルアダプタと複数のアナログ端末とを通信装置と呼ぶことにすると、当該通信装置は、ＩＳＤＮ網との間で情報の送受信を行うものということができる。
　引用例のロ．には、ターミナルアダプタに留守番電話制御部を設けることが示されており、留守番電話制御部は、不在時の応答メッセージを録音する機能と、不在であることを設定する機能と、不在に設定されたときに応答メッセージを送出する機能とを有することが記載されている。また、【００８３】には、「図２０に示す構成の場合、本ターミナルアダプタに接続された、すべてのアナログ端末が留守状態の場合に、留守に設定され、すべてのアナログ端末へのメッセージを、一括して録音する。」と記載されており、この構成の場合には、不在の設定は複数のアナログ端末に共通に設定されていると理解される。
　引用例のハ．には、ＩＳＤＮ回線からの着信を電話とＧ３ＦＡＸとに切り分けるために、ＩＳＤＮ網からの着信通知に含まれる「高位レイヤ識別子情報」が電話であるかＧ３ＦＡＸであるかにより、電話かＧ３ＦＡＸに呼を接続することが示されている。
　引用例において、留守番電話の機能と、電話とＧ３ＦＡＸの切り分けの機能とを組み合わせてよいことは当然であり、その場合、引用例の【００９２】の記載を参照すれば、不在設定がされたときには、着信が電話であれば、ターミナルアダプタ内の留守番電話制御部に着信が接続され、着信がＧ３ＦＡＸであれば、Ｇ３ＦＡＸに着信が接続されるように制御されるものと理解される。
　 　　　　
　したがって、引用例には、技術常識を考慮すると、
　「ＩＳＤＮ網との間で情報の送受信を行う通信装置であって、
　電話やＧ３ＦＡＸ等の複数のアナログ端末と、
　前記複数のアナログ端末に共通に設定された不在設定情報を管理し、当該不在設定情報に基づいて、前記複数のアナログ端末の動作を制御するターミナルアダプタと、
　を備え、
　前記ターミナルアダプタは、
　ＩＳＤＮ網からの着信通知に含まれる高位レイヤ識別子情報、及び前記共通の不在設定情報に基づいて、着信が電話である場合には留守番電話制御部に着信を接続し、着信がＧ３ＦＡＸの場合にはＧ３ＦＡＸに着信を接続するように制御する通信装置。」
の発明（以下、「引用例発明」という。）が開示されていると認めることができる。
　　
３．対比
　本願発明と引用例発明とを対比すると次のことが認められる。
　引用例発明の「ＩＳＤＮ網」は、本願発明の「ネットワーク」に相当する。
　引用例発明の「通信装置」は、「通信端末」であるといえる。
　電話やＧ３ＦＡＸ等のアナログ端末は、「呼を終端する」ものであり、「ユーザ操作を受け付ける」ものであることは技術的に自明である。さらに、電話やＧ３ＦＡＸ等のアナログ端末は、電話機能やＧ３ＦＡＸ機能を提供するものであるから、「所定の情報サービスを提供するサービス提供部」であるといえる。
　引用例発明の「不在設定情報」は、「サービス提供に関する設定情報」であるといえる。
　引用例発明の「高位レイヤ識別子情報」は、「着信情報」といえる。
　引用例発明の「ターミナルアダプタ」は、複数のサービス提供部の動作を制御しており、「管理制御部」又は「管理制御手段」であるといえる。
　
　以上の対比によれば、本願発明と引用例発明とは、
「ネットワークとの間で情報の送受信を行う通信端末であって、
　呼を終端する及びユーザ操作を受け付けるとともに、所定の情報サービスを提供する複数のサービス提供部と、
　前記複数のサービス提供部に共通に設定されたサービス提供に関する設定情報を管理し、当該設定情報に基づいて、前記複数のサービス提供部の動作を制御する管理制御部と、
　を備え、
　前記管理制御手段は、
　ネットワークからの着信通知に含まれる着信情報、及び前記共通の設定情報に基づいて、前記複数のサービス提供部の動作を制御する通信端末。」
の点で一致し、以下の点で相違している。
　　
［相違点］
　本願発明は、「ネットワークからの着信通知に含まれる着信情報、及び前記共通の設定情報に基づいて、着信呼に対して設定情報を有効にすべきか否かを判断し、当該判断結果に基づいて前記複数のサービス提供部の動作を制御する」のに対して、引用例発明は、「
ネットワークからの着信通知に含まれる着信情報、及び前記共通の不在設定情報に基づいて、着信が電話である場合には留守番電話制御部に着信を接続し、着信がＧ３ＦＡＸの場合にはＧ３ＦＡＸに着信を接続するように制御する」点。
　
４．当審の判断
［相違点］について
　引用例発明において、不在設定がなされいている場合、着信通知の着信情報に基づいて、着信が電話かＧ３ＦＡＸかを判断して、着信が電話である場合には留守番電話制御部に着信を接続し、着信がＧ３ＦＡＸの場合にはＧ３ＦＡＸに着信を接続するものであるから、
着信が電話の場合に、不在設定が有効とされており、着信がＧ３ＦＡＸの場合に不在設定が無効とされているとみることができる。したがって、引用例発明において、着信呼に対して設定情報を有効にすべきか否かを判断し、当該判断結果に基づいて前記複数のサービス提供部の動作を制御するようにすることは格別のことではなく、当業者が容易になし得たものである。
　　
　そして、本願発明の作用効果も、引用例発明から当業者が予測できる範囲のものである。
　　　
５．むすび
　以上のとおり、本願発明は、引用例発明に基づいて、当業者が容易に発明をすることができたものであるから、特許法第２９条第２項の規定により特許を受けることができない。
　よって、結論のとおり審決する。